(57)【要約】【課題】駆動回路基板を内蔵しないブラシレスＤＣモータにおいて、配線用基板等の基板を必要としないステータ構造を有するブラシレスＤＣモータを提供することを目的とする。【解決手段】複数枚積層された固定子鉄心２と、この固定子鉄心２の表面に絶縁層を形成するとともに固定子鉄心２の積層方向の一方の端面と略同一面上で固定子鉄心２の外周側に突出部４を延設するインシュレータ３と、固定子鉄心２の外周側で突出部４に設けたコネクタ保持部としてのフック５と、このフック５に装着するコネクタ端子８を有するコネクタ７を備え、インシュレータ３は、突出部４にコネクタ近傍孔部６を有し、コネクタ近傍孔部６に端子ピン１２を立設し、インシュレータ３を介して巻装される巻線１０と端子ピン１２、この端子ピン１２とコネクタ７を接続しているステータ構造。【選択図】図１
2015065790.tif 000002
【特許請求の範囲】
【請求項１】
複数枚積層された固定子鉄心と、この固定子鉄心の表面に絶縁層を形成するとともに前記固定子鉄心の積層方向の一方の端面と略同一面上で前記固定子鉄心の外周側に突出部を延設するインシュレータと、前記固定子鉄心の外周側で前記突出部に設けたコネクタ保持部と、このコネクタ保持部に装着するコネクタ端子を有するコネクタを備え、
前記インシュレータは、前記突出部に複数のコネクタ近傍孔部を有し、前記コネクタ近傍孔部に端子ピンを立設し、前記インシュレータを介して巻装される巻線の端末部を前記端子ピンに接触させてからげるとともに、前記端子ピンを前記コネクタに接続したことを特徴とするブラシレスＤＣモータ。
【請求項２】
端子ピン間隔が前記コネクタ端子の最低間隔の整数倍となることを特徴とする請求項１記載のブラシレスＤＣモータ。
【請求項３】
複数の前記コネクタ端子の少なくとも一つは略Ｌ字状に折り曲げられた形状であることを特徴とする請求項１または２記載のブラシレスＤＣモータ。
【請求項４】
前記端子ピンは複数の前記コネクタ端子のＬ字先端部に略平行で隣接するように配置され、前記コネクタ端子部のＬ字先端部と前記端子ピンが接触していることを特徴とする請求項３記載のブラシレスＤＣモータ。
【請求項５】
前記コネクタ端子部のＬ字先端部と前記端子ピンを接触させ、補強部材を被せたことを特徴とする請求項４記載のブラシレスＤＣモータ。
【請求項６】
前記補強部材はスリーブであることを特徴とする請求項５記載のブラシレスＤＣモータ。
【請求項７】
複数の前記コネクタ端子部は巻線と接続されている端子ピンと接続されるコネクタ端子部のみ略Ｌ字状に折り曲げられた形状であり、その他のコネクタ端子部はストレートであることを特徴とする請求項３〜６いずれかひとつに記載のブラシレスＤＣモータ。
【請求項８】
送風ファンを有し、前記送風ファンを駆動するためのモータは請求項１〜７いずれかひとつに記載のブラシレスＤＣモータであることを特徴とする送風装置。
【発明の詳細な説明】
【技術分野】
【０００１】
本発明は、天井埋め込み型等の排気用および吸気用の換気装置や、送風機、加湿機、除湿機、冷凍機器、空気調和機、給湯機など、ファン駆動用のブラシレスＤＣモータおよびそれを搭載した送風装置に関するものである。
【背景技術】
【０００２】
近年、換気装置等の電気機器に搭載する送風装置においては、装置の消費電力を低減する目的でブラシレスＤＣモータが使用され場合が増加している。そして、このブラシレスＤＣモータには、駆動回路基板をモータ内に内蔵するタイプと、駆動回路基板を内蔵せずに外部回路で駆動するタイプに分類される。
【０００３】
駆動回路基板をモータ内に内蔵するタイプのモータでは、モータに電源を供給するだけで駆動でき、利便性が高い一方、モータ内の構造が複雑になる。また、装置内に他の制御回路基板がある場合には、モータ内にも駆動回路基板があるので、装置内に２枚の回路基板が存在することになる。
【０００４】
駆動回路基板をモータ内に内蔵しないタイプのモータでは、モータ内の構造が簡素化できる一方、駆動する回路を別途設ける必要がある。但し、装置内に他の制御回路基板がある場合には、モータ駆動回路をその制御回路基板に搭載することも可能で、装置内の回路基板を１枚に集約できる利点がある。
【０００５】
従来、この種の駆動回路基板をモータ内に内蔵するブラシレスＤＣモータは、以下の構成のものが知られている（例えば特許文献１参照）。
【０００６】
そのブラシレスＤＣモータについて図７、図８を参照しながら説明する。
【０００７】
図７のステータ構造に示すように、複数枚積層された固定子鉄心１０１と、この固定子鉄心の表面に絶縁層を形成するインシュレータ１０２と、固定子鉄心の外周上のインシュレータに端子ピンを立設するための外周孔部１０６と、固定子鉄心の外周上のインシュレータに駆動回路基板１０７を保持するための基板保持部１０８ａ，１０８ｂからステータが構成されている。
【０００８】
また、図８に示すように、ブラシレスＤＣモータは、インシュレータ１０２を介して巻装される巻線と外周孔部１０６に立設した端子ピン１１０を接続し、端子ピン１１０と基板保持部１０８ａ，１０８ｂ保持された駆動回路基板１０７とを接続し、駆動回路基板１０７とこの駆動回路基板に保持されたコネクタ１０３のコネクタ端子１０９を接続した状態のステータをモールド樹脂１０５で覆ってモータ外郭を形成し、その中に、回転子１０４とシャフト１１１とベアリング１１２ａ，１１２ｂを一体化したものを入れ、ブラケット１１３で蓋をした構造である。
【先行技術文献】
【特許文献】
【０００９】
【特許文献１】特開２００８−１４１９０３号公報
【発明の概要】
【発明が解決しようとする課題】
【００１０】
このような従来の駆動回路基板をモータ内に内蔵するブラシレスＤＣモータにおいては、駆動回路基板を組込むことによって端子ピン接続やコネクタ保持やコネクタ端子接続が実現できる構成となっていたので、駆動回路基板を内蔵しないブラシレスＤＣモータを実現しようとした場合でも、配線用基板等の何らかの基板が必要になるという課題を有していた。
【００１１】
そこで本発明は、上記従来の課題を解決するものであり、駆動回路基板を内蔵しないブラシレスＤＣモータにおいて、配線用基板等の基板を必要としないステータ構造を有するブラシレスＤＣモータを提供することを目的とする。
【課題を解決するための手段】
【００１２】
そして、この目的を達成するために、本発明は、複数枚積層された固定子鉄心と、この固定子鉄心の表面に絶縁層を形成するとともに前記固定子鉄心の積層方向の一方の端面と略同一面上で前記固定子鉄心の外周側に突出部を延設するインシュレータと、前記固定子鉄心の外周側で前記突出部に設けたコネクタ保持部と、このコネクタ保持部に装着するコネクタ端子を有するコネクタを備え、前記インシュレータは、前記突出部に複数のコネクタ近傍孔部を有し、前記コネクタ近傍孔部に端子ピンを立設し、前記インシュレータを介して巻装される巻線の端末部を前記端子ピンに接触させてからげるとともに、前記端子ピンを前記コネクタに接続したことを特徴とするブラシレスＤＣモータとしたものであり、これにより所期の目的を達成するものである。
【発明の効果】
【００１３】
本発明によれば、複数枚積層された固定子鉄心と、この固定子鉄心の表面に絶縁層を形成するとともに前記固定子鉄心の積層方向の一方の端面と略同一面上で前記固定子鉄心の外周側に突出部を延設するインシュレータと、前記固定子鉄心の外周側で前記突出部に設けたコネクタ保持部と、このコネクタ保持部に装着するコネクタ端子を有するコネクタを備え、前記インシュレータは、前記突出部に複数のコネクタ近傍孔部を有し、前記コネクタ近傍孔部に端子ピンを立設し、前記インシュレータを介して巻装される巻線の端末部を前記端子ピンに接触させてからげるとともに、前記端子ピンを前記コネクタに接続した構成にしたことにより、端子ピンは直接コネクタの端子部に接続されることにより配線用基板を介在することなくモータに電力を供給することができることとなるため、配線用基板等の基板を必要としないステータ構造を有することができ、れにより、部品点数が少なく、簡易な構成のブラシレスＤＣモータおよびそれを搭載した送風装置を提供することができるという効果を有するものである。
【図面の簡単な説明】
【００１４】
【図１】本発明のステータ構造を示す外観図
【図２】本発明の実施の形態１のブラシレスＤＣモータのステータの概略斜視図
【図３】同ブラシレスＤＣモータのステータの要部拡大斜視図
【図４】同ブラシレスＤＣモータの概略断面図
【図５】同ブラシレスＤＣモータのステータの補強部材を用いた要部拡大斜視図
【図６】送風装置を示す三面図
【図７】従来のステータの概略斜視図
【図８】従来のブラシレスＤＣモータの概略断面図
【発明を実施するための形態】
【００１５】
本発明の請求項１記載のブラシレスＤＣモータは、複数枚積層された固定子鉄心と、この固定子鉄心の表面に絶縁層を形成するとともに前記固定子鉄心の積層方向の一方の端面と略同一面上で前記固定子鉄心の外周側に突出部を延設するインシュレータと、前記固定子鉄心の外周側で前記突出部に設けたコネクタ保持部と、このコネクタ保持部に装着するコネクタ端子を有するコネクタを備え、前記インシュレータは、前記突出部に複数のコネクタ近傍孔部を有し、前記コネクタ近傍孔部に端子ピンを立設し、前記インシュレータを介して巻装される巻線の端末部を前記端子ピンに接触させてからげるとともに、前記端子ピンを前記コネクタに接続した構成を有する。
【００１６】
これにより、端子ピンは直接コネクタの端子部に接続されることにより配線用基板を介在することなくモータに電力を供給することができることとなるため、配線用基板等の基板を必要としないステータ構造を有することができ、これにより、部品点数が少なく、簡易な構成のブラシレスＤＣモータおよびそれを搭載した送風装置を提供することができるという効果を奏する。
【００１７】
また、端子ピン間隔が前記コネクタ端子の最低間隔の整数倍となる構成にしても良い。これにより、複数のコネクタ端子と複数の端子ピンが同一方向で接触し、複数のコネクタ端子と複数の端子ピンの半田付けによる電気的接続が容易となるという効果を奏する。
【００１８】
また、複数の前記コネクタ端子の少なくとも一つは略Ｌ字状に折り曲げられた形状でも良い。
【００１９】
また、前記端子ピンは複数の前記コネクタ端子のＬ字先端部に略平行で隣接するように配置され、前記コネクタ端子部のＬ字先端部と前記端子ピンが接触する構成にしても良い。これにより、前記コネクタ端子と前記端子ピンの接触面積が増大し、はんだ付け作業が容易となるとともに、半田付けによる電気的接続面積が増大し、半田接続部分の機械的強度が増すとともに、電気的接続の信頼性が増すこととなるという効果を奏する。
【００２０】
また、前記コネクタ端子部のＬ字先端部と前記端子ピンを接触させ、補強部材を被せた構成としても良い。
【００２１】
また、前記補強部材はスリーブでも良い。これにより、前記補強部材のスリーブを被せた後、半田付けにより、前記コネクタ端子のＬ字先端部と前記端子ピンとを電気的かつ機械的に接続保持し、半田接続部分の機械的強度が増すとともに、電気的接続の信頼性が増すこととなるという効果を奏する。
【００２２】
また、複数の前記コネクタ端子部は巻線と接続されている端子ピンと接続されるコネクタ端子部のみ略Ｌ字状に折り曲げられた形状であり、その他のコネクタ端子部はストレートであっても良い。これにより、前記コネクタ端子のＬ字先端部と前記端子ピンの半田接続部分と隣り合う前記コネクタ端子のＬ字先端部がなくなるため、はんだ付け作業が容易となるという効果を奏する。
【００２３】
以下、本発明の実施の形態について図面を参照しながら説明する。
【００２４】
（実施の形態１）
図１に示すように、本実施形態のステータ１は、複数枚積層された固定子鉄心２と、固定子鉄心２の表面に絶縁層を形成するとともに前記固定子鉄心の積層方向の一方の端面と略同一面上で固定子鉄心２の外周側に突出部４を延設するインシュレータ３と、突出部４に設けたコネクタ保持部としてのフック５と、フック５間のインシュレータ３に端子ピン１２を３本立設するためのコネクタ近傍孔部６から成る。
【００２５】
図２に示すように、コネクタ近傍孔部６に端子ピン１２を３本立設し、この端子ピン１２の低部（インシュレータ３の突出部４側）に３相の巻線端部１１をからげてはんだ接続する。更に、フック５にコネクタ７を取り付ける。コネクタ端子８はコネクタ７に圧入されて固定保持されているが、図２、３に示すように、本実施形態では６個中４個をその巻線１０側の形状を突出部４の反対側に略Ｌ字状に折り曲げられた形状としている。
【００２６】
ここで、端子ピン１２はコネクタ端子８のＬ字先端部９と略平行で隣接するように配置されている。この状態でコネクタ端子８と端子ピン１２の上部をはんだ接続する。図４に示すように、ステータ１は外郭を構成する樹脂１３にて一体的に成形固化され、磁石を有するロータ１４とブラケット１５にて組み立てられブラシレスＤＣモータ１６となる。
【００２７】
以上のような構成の駆動回路を内蔵しない本実施の形態のブラシレスＤＣモータ１６は、外付けの駆動回路（図示せず）とコネクタ７とで接続され、コネクタ端子８から巻線１０へと駆動回路からの電源等を供給し回転制御するセンサレスのブラシレスＤＣモータとなる。
【００２８】
本実施の形態のおける特徴は、端子ピン１２とコネクタ端子８の接続方法である。すなわち、端子ピン１２をコネクタ端子８の上側に折り曲げたＬ字先端部９に接触させ、直接半田付けにて接続している。
【００２９】
これにより、配線用基板等の基板を必要としないステータ構造を有するブラシレスＤＣモータ１６を提供できるものである。
【００３０】
また、図６は送風ファン１８を本実施の形態１のブラシレスＤＣモータに取り付けた送風装置である。つまり、配線用基板等の基板を必要としないステータ構造を有するブラシレスＤＣモータ１６がコスト低減することにより、ブラシレスＤＣモータを搭載した送風装置のコストも低減させることができるものである。
【００３１】
なお、図５に示すような前記コネクタ端子８のＬ字先端部９と前記端子ピン１２を接触させ、補強部材を被せた構成としても良い。補強部材である小型の金属性のスリーブ１７を被せた後、ハンダ付け（図示せず）などにより、コネクタ端子８のＬ字先端部９と端子ピン１２とを電気的かつ機械的に接続保持する。
【００３２】
つまり、補強部材であるスリーブ１７を被せたことにより、半田接続部分の機械的強度が増すとともに、電気的接続の信頼性が増すこととなる。
【００３３】
なお、コネクタ端子８は、本実施形態では６個中４個をその巻線１０側の形状を突出部４の反対側に略Ｌ字状に折り曲げられた形状としているが、略Ｌ字状に折り曲げられていなくてもよい。その場合、コネクタ端子８と端子ピン１２の接触面積は略Ｌ字状に折り曲げられた形状に対し小さくなるため、半田付けによる電気的接続面積が縮小し、半田接続部分の機械的強度が減少するとともに、電気的接続の信頼性が低下するため、略Ｌ字状に折り曲げられていることが望ましい。
【００３４】
なお、コネクタ端子８のピッチと端子ピン１２の最低間隔の整数倍にならなくても良い。その場合、端子ピン１２とコネクタ端子８の隣接する方向が一部逆となるため、コネクタ組み付け作業にて隣接する方向が入れ替わる組み付け不良が発生しても気づきにくくなってしまう。また、半田接続箇所の間隔が狭くなる場合もあるため、半田接続作業に不良が発生しやすくなる。よって、コネクタ端子８のピッチと端子ピン１２の最低間隔の整数倍になることが望ましい。
【産業上の利用可能性】
【００３５】
以上のように本発明にかかるブラシレスＤＣモータは、複数枚積層された固定子鉄心と、この固定子鉄心の表面に絶縁層を形成するとともに前記固定子鉄心の積層方向の一方の端面と略同一面上で前記固定子鉄心の外周側に突出部を延設するインシュレータと、前記固定子鉄心の外周側で前記突出部に設けたコネクタ保持部と、このコネクタ保持部に装着するコネクタ端子を有するコネクタを備え、前記インシュレータは、前記突出部に複数のコネクタ近傍孔部を有し、前記コネクタ近傍孔部に端子ピンを立設し、前記インシュレータを介して巻装される巻線の端末部を前記端子ピンに接触させてからげるとともに、前記端子ピンを前記コネクタに接続したという構成を有することにより配線用基板を介在することなくモータに電力を供給することができることとなり、コスト低減させることができるものである。
【００３６】
従って、低コスト化が要求されるブラシレスＤＣモータや家電用や業務用などの送風装置として活用できる。
【符号の説明】
【００３７】
１    ステータ
２    固定子鉄心
３    インシュレータ
４    突出部
５    フック
６    コネクタ近傍孔部
７    コネクタ
８    コネクタ端子
９    Ｌ字先端部
１０  巻線
１１  巻線端部
１２  端子ピン
１３  樹脂
１４  ロータ
１５  ブラケット
１６  ブラシレスＤＣモータ
１７  スリーブ
１８  送風ファン
【図１】
2015065790.tif 000003
【図２】
2015065790.tif 000004
【図３】
2015065790.tif 000005
【図４】
2015065790.tif 000006
【図５】
2015065790.tif 000007
【図６】
2015065790.tif 000008
【図７】
2015065790.tif 000009
【図８】
2015065790.tif 000010